(57)【要約】【課題】スピーカユニットから充分に迫力のある低音域の音を出力させ、迫力や臨場感に優れた興趣ある遊技を行ない得る遊技機を提供する。【解決手段】外枠１２に開閉自在に組付けた中枠１６に設けられ、スピーカユニット２８をその前面側を露出させた状態で収容する収容箱体３０と、収容箱体３０の一部をなし、収容箱体３０内の空気室３０ａに連通する第１接続口３２を後方へ開口するよう開設した後壁部３１と、外枠１２の前面側下方に位置し、前方へ開口する開口部１４ａを開設した板部１４と、板部１４より上方に突出し、前方へ開口する第２接続口３６を開設した突出部３５と、板部１４の裏側に画成されて開口部１４ａと突出部３６とを連通接続するダクト部３４とを設ける。そして、中枠１６を外枠１２に対して閉成した際に、後壁部３１が突出部３５に圧接して第１接続口３２および第２接続口３６が密閉状態で連通接続するよう構成した。【選択図】図４
2006325969.tif 000002
【特許請求の範囲】
【請求項１】
外郭をなす外枠に開閉自在に組付けた中枠にスピーカユニットを配設するよう構成された遊技機であって、
前記中枠に設けられて前記スピーカユニットをその前面側を露出させた状態で収容する収容部と、
前記収容部の一部をなし、該収容部に収容したスピーカユニットの背面側の空間に連通する第１接続口を後方へ開口するよう開設した第１当接部と、
前記外枠の前面側下方に位置し、前方に開口する開口部を開設した板部と、
前記外枠側に設けられ、前記中枠の閉成時に前記第１当接部の第１接続口に連通接続可能な第２接続口を前方へ向けて開口するよう開設した第２当接部と、
前記板部の裏側に画成されて前記開口部と第２接続口とを連通接続し、前記第１接続口を介して前記収容部内の空間に連通可能なダクト部とを備え、
前記第１および第２当接部は、前記中枠を外枠に対して閉成した際に第１当接部が前記第２当接部に圧接して、前記第１接続口および第２接続口が密閉状態で連通接続するよう構成されている
ことを特徴とする遊技機。
【請求項２】
前記第２当接部は、前記板部より上方へ突出するよう形成された突出部である請求項１記載の遊技機。
【請求項３】
前記ダクト部は、左右方向に折返す蛇行状に形成されている請求項１または２記載の遊技機。
【請求項４】
前記ダクト部は、上下方向に折返す蛇行状に形成されている請求項１または２記載の遊技機。
【請求項５】
前記第２接続口は前記板部の左右何れか一方の端部近傍に設けられ、前記開口部は板部における他方の端部近傍に設けられる請求項１〜４の何れかに記載の遊技機。
【請求項６】
前記ダクト部は、前記第２接続口から開口部に近づくにつれて幅員が増大するよう形成されている請求項１〜５の何れかに記載の遊技機。
【請求項７】
前記第１および第２接続口は、前記外枠に対する中枠の枢支側近傍に設けられている請求項１〜６の何れかに記載の遊技機。
【発明の詳細な説明】
【技術分野】
【０００１】
本発明は、外郭をなす外枠に開閉自在に組付けた中枠にスピーカユニットを設けた遊技機に関するものである。
【背景技術】
【０００２】
例えば遊技機の代表例の一つであるパチンコ機には、所要位置にスピーカユニットが配設されており、遊技状態に応じて多様な音をスピーカユニットから発することにより、遊技の臨場感や興趣を高めるよう構成されている。ここで、遊技の臨場感や興趣を高めるには、スピーカユニットから低音域の音を、大音量で出力し得ることが望まれる。ところで、スピーカユニットから発せられる音の音域と音量は、スピーカユニットの口径に依存することが知られており、低音域の音を、大音量で出力するためには、大きなスピーカユニットを用いる必要がある。しかしながら、近年は、遊技盤の大型化が進み、各種部材を配設可能なスペースが限定されているのが現状であり、スピーカユニットとしてはできる限り小型のものを少数用いる構成とすることが求められている。このため、高性能なスピーカユニットを用いたとしても、その特性上、低音域の音を大音量で出力することは困難で、遊技の迫力不足を招来する難点が指摘される。そこで、バスレフ型やバックロードホーン型のスピーカユニットを設け、スピーカユニットから出力される低音域を増強して遊技の臨場感や興趣を向上するようにしたパチンコ機が提案されている(例えば、特許文献１〜３参照)。
【０００３】
例えば、一般的なパチンコ機は、外郭をなす外枠に開閉自在に組付けられた中枠に遊技盤を配設し、該中枠に対して開閉自在に組付けられた前枠に遊技盤を透視保護するガラス板が配設される。そして、特許文献１に記載されたパチンコ機では、前記中枠にスピーカユニットおよびバックロードホーンを形成するよう構成されている。また、前記特許文献２には、前記前枠にスピーカユニットおよびバックロードホーンを形成する構成が開示されている。そして、特許文献３に開示されたパチンコ機では、外枠の外形形状に略合致する形状に中枠が形成され、該中枠に設けた下球皿の下方位置にスピーカユニットおよびバックロードホーンを形成するようになっている。このように、前記特許文献１〜３には、パチンコ機の中枠あるいは前枠にスピーカユニットおよびバックロードホーンを設けて、スピーカユニットから後方へ出力された「音」を増強するようになっている。
【特許文献１】特開２００２−１７２２１７号公報
【特許文献２】特開２００３−９３６１２号公報
【特許文献３】特開２００３−１３５６８１号公報
【発明の開示】
【発明が解決しようとする課題】
【０００４】
ところで、前記中枠の裏側には、パチンコ球が通過するオーバーフロー球用通路、ファール球用通路、アウト球用通路等の多くの通路が形成されると共に、各種制御装置や遊技機構成部品が多数配設されており、また同様に、前記前枠には遊技盤を透視保護するガラス板が組付けられることから、これら中枠や前枠にはスペース的な余裕はほとんどない。このため、これら中枠および前枠においてスピーカユニットやバックロードホーンを設ける部位は非常に限定されることから、スピーカユニットの更なる小型化や、バックロードホーンが短くなる難点を内在しており、スピーカユニットから出力される低音域を増強して充分に遊技の臨場感や興趣を向上しているとは云えないのが現状であった。
そこで、本発明は、スピーカユニットから充分に迫力のある低音域の音を出力させ、迫力や臨場感に優れた興趣ある遊技を行ない得る遊技機を提供することを目的とする。
【課題を解決するための手段】
【０００５】
前記課題を克服し、所期の目的を達成するため、本願の請求項１に係る遊技機は、
外郭をなす外枠(12)に開閉自在に組付けた中枠(16)にスピーカユニット(28)を配設するよう構成された遊技機であって、
前記中枠(16)に設けられて前記スピーカユニット(28)をその前面側を露出させた状態で収容する収容部(30)と、
前記収容部(30)の一部をなし、該収容部(30)に収容したスピーカユニット(28)の背面側の空間(30a)に連通する第１接続口(32)を後方へ開口するよう開設した第１当接部(31,52)と、
前記外枠(12)の前面側下方に位置し、前方に開口する開口部(14a,58)を開設した板部(14)と、
前記外枠(12)側に設けられ、前記中枠(16)の閉成時に前記第１当接部(31,52)の第１接続口(32)に連通接続可能な第２接続口(36)を前方へ向けて開口するよう開設した第２当接部(35,50)と、
前記板部(14)の裏側に画成されて前記開口部(14a)と第２接続口(36)とを連通接続し、前記第１接続口(32)を介して前記収容部(30)内の空間(30a)に連通可能なダクト部(34)とを備え、
前記第１および第２当接部(31,35,50,52)は、前記中枠(16)を外枠(12)に対して閉成した際に第１当接部(31,52)が前記第２当接部(35,50)に圧接して、前記第１接続口(32)および第２接続口(36)が密閉状態で連通接続するよう構成されていることを要旨とする。
【０００６】
このように、スピーカユニットを中枠に設けた収容部に配設し、スペース的に余裕のある外枠にダクト部を形成すると共に、中枠側の第１当接部に開設した第１接続口と、外枠側の第２当接部に開設した第２接続口とを介して、収容部およびダクト部が連通し得るよう構成したから、スピーカユニットの背面側から出力される音の低音域をダクト部で増強でき、迫力や臨場感に優れた興趣ある遊技を行なうことが可能となる。そして、前記中枠を外枠に対して閉成した際に第１当接部が第２当接部に圧接して、前記第１および第２接続口が密閉状態で連通接続するよう第１および第２当接部を設けたから、この接続部分からの音漏れを抑制することができ、板部の開口部から出力される音質の低下を防止し得る。
【０００７】
請求項２に係る遊技機は、前記第２当接部(35)は、前記板部(14)より上方へ突出するよう形成された突出部であることを要旨とする。
【０００８】
このように、前記第２当接部として外枠に設けた板部より上方へ突出する突出部を形成し、該突出部に前記第２接続口を開設するだけの簡単な構成で、第１当接部と第２当接部との接続部分からの音漏れを防止し得るから、コストの増大を抑制し得る。また、突出部を設けることで、ダクト部の全長を長くすることができる。
【０００９】
請求項３に係る遊技機は、前記ダクト部(34)は、左右方向に折返す蛇行状に形成されていることを要旨とする。
【００１０】
このように、前記ダクト部を、左右方向に折返す蛇行状に形成することで、前記板部の左右の幅寸法を利用してダクト部の全長を長くすることができる。
【００１１】
請求項４に係る遊技機は、前記ダクト部(34)は、上下方向に折返す蛇行状に形成されていることを要旨とする。
【００１２】
このように、前記ダクト部を、上下方向に折返す蛇行状に形成することで、前記板部の上下の幅寸法を利用してダクト部の全長を長くすることができる。
【００１３】
請求項５に係る遊技機は、前記第２接続口(36)は前記板部(14)の左右何れか一方の端部近傍に設けられ、前記開口部(14a)は板部(14)における他方の端部近傍に設けられることを要旨とする。
【００１４】
このように、前記第２接続口を前記板部の左右何れか一方の端部近傍に開設し、前記開口部を該板部における他方の端部近傍に形成することで、板部の略全領域を利用してダクトの全長を最大限長くすることができる。
【００１５】
請求項６に係る遊技機は、前記ダクト部(34)は、前記第２接続口(36)から開口部(14a)に近づくにつれて幅員が増大するよう形成されていることを要旨とする。
【００１６】
このように、スペース的に余裕のある外枠に所謂バックロードホーンタイプのダクトを形成することで、該ダクトの長大化を図り得るから、スピーカユニットから出力される低音域を増強して迫力や臨場感に優れた興趣ある遊技を行なうことが可能となる。また、前記ダクトを、所謂バックロードホーンタイプに形成することで、低音域の増強をより効率的に行ない得るから、所謂歯切れのよい音を出力することができる。
【００１７】
請求項７に係る遊技機は、前記第１および第２接続口(32,36)は、前記外枠(12)に対する中枠(16)の枢支側近傍に設けられていることを要旨とする。
【００１８】
このように、前記第１および第２接続口を、外枠に対する中枠の枢支側近傍に設けることで、中枠の閉成時に両接続口を正確に整合することができ、音漏れによる音質の低下をより効果的に防止し得る。
【発明の効果】
【００１９】
本発明に係る遊技機によれば、スピーカユニットから充分に迫力のある低音域の音を出力させ、迫力や臨場感に優れた興趣ある遊技を行ない得る。
【発明を実施するための最良の形態】
【００２０】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」・「後」、および「左」・「右」とは、図１に示すように中枠１６を閉成したパチンコ機を正面側(遊技者側)から見た状態で指称するものとする。
【実施例】
【００２１】
実施例のパチンコ機１０は、図１に示すように、外郭をなす外枠１２に対して遊技盤(図示せず)やその他各種部材が配設される中枠１６が、パチンコ機１０の左端部側に設けたヒンジ手段４４と、右端部側に設けた施錠手段４６とを介して、着脱および開閉自在に枢支されている。ここで、図２〜図４に示すように、前記外枠１２は、上枠部材１２ａ、下枠部材１２ｂ、右枠部材１２ｃおよび左枠部材１２ｄを連結し、該下枠部材１２ｂの前端部側に、幕板や腰板等と称される所要の高さ寸法の板部１４を配設することで縦長矩形枠状に形成される。そして、前記上枠部材１２ａ、右枠部材１２ｃ、左枠部材１２ｄおよび板部１４により画成される開口寸法に整合する大きさに前記中枠１６を形成して、該中枠１６の閉成時に、前側からパチンコ機１０の裏側が見えないよう構成してある(図１参照)。また、前記中枠１６の前側には、前記遊技盤を透視保護するガラス板１８ａを組付けた前枠１８が開閉可能に設けられると共に、該前枠１８の下方位置に、パチンコ球を貯留する上球皿２０が配設されている。
【００２２】
前記中枠１６における上球皿２０の下方位置には、パチンコ機１０(外枠１２)の左右方向の幅寸法に略整合する大きさに形成されたセット板２２が設けられており、該セット板２２の左右方向の略中央位置に、上球皿２０に貯留しきれないパチンコ球を貯留する下球皿２４を形成してある。また、前記セット板２２における下球皿２４の右位置には、ハンドル部材２６が配設されており、該ハンドル部材２６の打出し操作により、前記上球皿２０に貯留したパチンコ球が遊技盤の盤面に向けて打出されて所要の遊技が行なわれるようになっている。更に、前記中枠１６の裏側には、前記セット板２２の左位置(ヒンジ手段４４側)に、遊技内容に合わせて効果音や音声を出力するスピーカユニット２８が配置されて、遊技内容に合わせてスピーカユニット２８から各種効果音や音声を発することで、遊技の興趣を高めるように構成されている。ここで、前記スピーカユニット２８は、前記中枠１６の裏側におけるスピーカユニット２８(後述する収容箱体３０)の上方位置に配設された音声制御装置４２(図４参照)に接続されており、該音声制御装置４２の制御に基づいてスピーカユニット２８から各種の音を出力するようになっている。
【００２３】
前記中枠１６およびセット板２２には、前記スピーカユニット２８と対応する位置に、前後に貫通する第１の開口部１６ａ(図５(a),(b)参照)が開設されると共に、該第１の開口部１６ａに対応する位置に、メッシュ状の第１カバー部材(カバー部材)３８が取付けられている。なお、前記スピーカユニット２８は、前記第１開口部１６ａに臨ませた際に、前記中枠１６およびセット板２２により前面側(振動板の表側)と背面側(振動板の裏側)が分離されて、前面側のみが前方(遊技者側)に露出するようになっている。すなわち、前記中枠１６およびセット板２２が、スピーカユニット２８の前後を隔離する所謂バッフル板として機能し、スピーカユニット２８の前面側から出力された音だけが、前記第１の開口部１６ａ(第１カバー部材３８)を介して前方(遊技者側)に伝わると共に、前記第１カバー部材３８により前側からスピーカユニット２８に直接触れないよう構成してある。
【００２４】
また、前記中枠１６における左位置(ヒンジ手段４４側)の裏側には、図４に示すように、前記スピーカユニット２８の背面側に所要の空間(以下空気室３０ａという)を画成した状態で、該スピーカユニット２８の背面側を覆う収容箱体(収容部)３０を取付けてある。なお、前記収容箱体３０は、ゴムパッキン等のシール材を介して前記中枠１６の裏側に密着するよう取付けられており、前記スピーカユニット２８の背面側を略完全に隔離している。すなわち、前記スピーカユニット２８の前面側に出力された音波と、背面側に出力された音波とが、相互に干渉するのを防止している。また、前記収容箱体３０を画成する後壁部３１の下部位置には、前記空気室３０ａに開口する第１接続口３２が中枠１６の閉成時に後方に開口するよう開設されており(図４または図５(a),(b)参照)、前記スピーカユニット２８を作動した際に、スピーカユニット２８の背面側から空気室３０ａ内に出力された音波が、該第１接続口３２を介して収容箱体３０の後方に伝播するようになっている。なお、実施例では、スピーカユニット２８として中音再生用のコーン形スピーカユニット２８を採用している。また、実施例では、前記後壁部３１が、後述する突出部(第２当接部)３５に当接する第１当接部として機能するようになっている。
【００２５】
また、図３または図４に示すように、前記板部１４の裏側には、該板部１４の略全幅に亘って延在する通路形成部材３３が配設されており、該通路形成部材３３と板部１４とによりダクト部３４が形成されている。なお、前記通路形成部材３３は、ゴムパッキン等のシール材(図示せず)を介して前記板部１４の裏側に密着状態で取付けられている。ここで、前記通路形成部材３３は、前記板部１４の左端部近傍で、該板部１４より上方に突出する突出部３５が形成されており、該突出部３５に、前方に開口する第２接続口３６が開設されている(図５(a)参照)。なお、前記第２接続口３６は、前記中枠１６の閉成時に前記収容箱体３０の第１接続口３２と前後に整列する位置に、該第１接続口３２と整合する大きさで開設されている。また、前記突出部３５は、前記第２接続口３６と整合する開口形状に形成された環状のゴムパッキン等の弾性材からなるシール材３７(図３または図５(a),(b)参照)を備えており、前記中枠１６の閉成時に、該シール材３７が前記収容箱体３０の前記後壁部３１に当接した状態で、第１接続口３２と第２接続口３６とが連通するようになっている。
【００２６】
ここで、前記突出部３５のシール材３７は、前記中枠１６の閉成時に前記収容箱体３０の後壁部３１が臨む基準位置より前方に突出するよう形成されており(図５(a),(b)参照)、該中枠１６を外枠１２に対して閉成した際に、該後壁部３１が突出部３５(シール材３７)に当接する。この状態で、更に前記中枠１６を完全に閉成すると、前記後壁部３１が突出部３５(シール材３７)に圧接(密着)してシール材３７が弾性変形し、これにより第１接続口３２および第２接続口３６が密閉状態で連通接続するようになっている。すなわち、前記中枠１６を閉成することで、収容箱体３０およびダクト部３４(板部１４および通路形成部材３３)がスピーカユニット２８のエンクロージャ構造をなすようになっている。このため、前記スピーカユニット２８の背面側から収容箱体３０の空気室３０ａ内に出力された音波は、前記第１接続口３２および第２接続口３６を介してダクト部３４内に伝播する。
【００２７】
また、前記板部１４の右端部近傍には、前後に貫通する第２の開口部１４ａが開設されており、前記ダクト部３４が前記突出部３５の第２接続口３６、および第２の開口部１４ａに連通するよう構成される。すなわち、前記第１および第２接続口３２,３６を介して前記収容箱体３０の空気室３０ａから前記ダクト部３４内に伝播した音波は、前記第２の開口部１４ａを介してパチンコ機１０の前方(遊技者側)へ出力されるようになっている。
【００２８】
前記ダクト部３４は、図２〜図４に示すように、前記第２の開口部１４ａに連通するメインダクト部３４ａと、該メインダクト部３４ａの上流端および前記第２接続口３６の夫々に連通するサブダクト部３４ｂとから構成される。前記メインダクト部３４ａは、前記板部１４の裏側における左右方向の略全幅に亘って延在すると共に、左方から右方へ向けて延在方向に交差する方向(上下方向)の幅員(すなわちダクト部３４ａの所要位置における開口面積が漸増)が漸増するホーン状に形成されている。また、前記サブダクト部３４ｂは、基本的には左右方向に折返す蛇行状に形成されて、該板部１４の左端部近傍で、前記メインダクト部３４ａの上流側に連通接続するようになっている。前記サブダクト部３４ｂの具体的な形状について説明すると、図２に示すように、前記第２接続口３６に接続するよう所定長さ下方に延在すると共に、前記板部１４の上端縁に沿って右方向に所定長さ延在する。その後左方向に折返して前記メインダクト３４ａに沿うよう所定長さ延在した後に、更に板部１４の左上角方向へ向けて延在するよう折れ曲がり、板部１４の左端部近傍において下方へ向けて延在するよう折れ曲がってメインダクト部３４ａの上流側に接続するようになっている。なお、前記サブダクト部３４ｂに関しても、前記第２接続口３６から離間するにつれて、延在方向に交差する方向の幅員が漸増(すなわちダクト部３４ｂの所要位置における開口面積が漸増)するよう形成されており、ダクト部３４の全体が蛇行したホーン状になっている。
【００２９】
すなわち、前記第１および第２接続口３２,３６を介して前記収容箱体３０の空気室３０ａから前記ダクト部３４内に伝播した音波は、前記第２の開口部１４ａを介してパチンコ機１０の前方(遊技者側)へ出力されるよう構成してある。換言すると、前記ダクト部３４は、スピーカユニット２８のエンクロージャ構造における所謂バックロードホーンとして機能し、スピーカユニット２８の背面側から前記空気室３０ａに出力された音波がダクト部３４を通過することで、その低音域を増強して第２の開口部１４ａから出力されるよう構成してある。なお、前記板部１４には、前記第２の開口部１４ａと対応する位置にメッシュ状の第２カバー部材(カバー部材)４０を取付けてあり、パチンコ機１０の前側からダクト部３４内への手指や異物の挿入を防止している。
【００３０】
〔実施例の作用〕
次に、実施例に係る遊技機の作用につき説明する。遊技者が前記ハンドル部材２６を操作してパチンコ球を遊技盤面に打出して所要の遊技が開始されると、前記音声制御装置４２の制御に基づいて前記スピーカユニット２８から効果音や音声等が発せられる。ところで、一般的にスピーカユニット２８から音が出力されるときには、振動板を境界としてスピーカユニット２８の前後において逆の作用が行なわれる。具体的には、例えば振動板が前方に動くときには、スピーカユニット２８の前面側では空気が押されて「密」となる一方で、背面側は空気の薄い「疎」となり、振動板が後方に動くときには、スピーカユニット２８の背面側では空気が押されて「密」となる一方で、前面側は空気の薄い「疎」となる。すなわち、スピーカユニット２８の前後には、逆位相の関係となる音波が出力されることとなる。この場合に、前記スピーカユニット２８の前面側から出力された音波と、背面側から出力された逆位相の音波とが干渉すると、互いに打消しあって遊技者に伝わる音が不鮮明になることが知られている。殊に、波長の長い低音域の音に対する影響が顕著で、迫力や臨場感の低下を招来する要因となる。
【００３１】
この実施例では、スピーカユニット２８の前面側と背面側とを、バッフル板として機能する中枠１６(セット板２２)により仕切ると共に、該スピーカユニット２８の背面側を覆う収容箱体３０を、シール材３７を介して中枠１６の裏側に密着するよう構成してあるから、該スピーカユニット２８の前面側と背面側とを確実に隔離し得る。このため、スピーカユニット２８の前面側から出力される音波と、背面側から出力される音波との干渉を効果的に抑制できるから、音が不鮮明になるのは防止され、鮮明な音により遊技演出を行なうことができる。
【００３２】
また、実施例では、前記外枠１２の板部１４より上方に突出させた突出部３５に、前方へ向けて開口する第２接続口３６を開設すると共に、当該突出部３５に設けたシール材３７が、前記中枠１６の閉成時に収容箱体３０の後壁部３１が臨む基準位置より前方に突出するよう形成してある。従って、前記中枠１６を閉成した際に前記収容箱体３０の後壁部３１が基準位置へ変位することで、該後壁部３１が突出部３５(シール材３７)に押付けられる(圧接する)。このとき、前記突出部３５のシール材３７が弾性変形することで、前記収容箱体３０の後壁部３１と突出部３５(シール材３７)とが密着し、これにより前記第１および第２接続口３２,３６が密閉状態で連通接続する。すなわち、前記収容箱体３０とダクト部３４との接続部位(第１および第２接続口３２,３６)の気密性が確保されるから、この接続部分からの音漏れを抑制することができ、板部１４の開口部１４ａから出力される音質の低下を防止し得る。
【００３３】
なお、前記中枠１６を外枠１２に対して開閉自在に組付ける関係上、該中枠１６を支持するヒンジ手段４４には所謂「遊び」が必要とされる。このため、前記中枠１６に設けた収容箱体３０の後壁部３１の第１接続口３２を、前記ヒンジ手段４４から離間する端部側(すなわち右端部側)に設けた場合には、該中枠１６の閉成時に第１接続口３２の移動距離が長くなることから、中枠１６のガタツキにより第１接続口３２と第２接続口３６とを整合させるのが困難となり、確実に整合しない場合には、その接続部分からの音漏れを招来する虞がある。また、前記施錠手段４６により前記中枠１６を閉成状態で保持した場合には、該施錠手段４６に必要とされる「遊び」により、中枠１６の左端部に較べて右端部側は前後に移動する。このため、前記中枠１６の右端部側に第１接続口３２を設けるよう構成した場合には、中枠１６を閉成した状態であっても、第１接続口３２と第２接続口３６とが離間する可能性がある。これに対して、実施例では、中枠１６の閉成時に移動距離の短いヒンジ手段４４側(すなわち左端部近傍)に第１接続口３２を設けると共に、該第１接続口３２と対応するよう第２接続口３６を外枠１２側に形成したから、該中枠１６の閉成時に両接続口３２,３６を正確に整合することができ、音漏れによる音質の低下を効果的に防止し得る。更には、前記第１接続口３２を中枠１６の左端部側に設けたことで、該中枠１６を閉成状態で保持した状態で第１接続口３２と第２接続口３６とを確実に密閉状態で連通させることが可能となる。
【００３４】
また、実施例では中枠１６を閉成した状態(すなわち、遊技が行なわれる状態)では、前記第１接続口３２と第２接続口３６とが密閉状態で接続することにより、該収容箱体３０とダクト部３４によりエンクロージャ構造をなすと共に、該ダクト部３４として、音の入力側(すなわち第２接続口３６)から出力側(すなわち板部１４の第２の開口部１４ａ)へ向かうにつれて開口面積が漸増するホーン状の所謂バックロードホーンタイプを採用している。従って、スピーカユニット２８の背面側から収容箱体３０に出力された音は、ダクト部３４を通過することにより低音域が増強されて、前記第２の開口部１４ａから遊技者側に出力されるから、遊技の臨場感や興趣を向上する効果を期待し得る。なお、前記中枠１６と収容箱体３０との間、および前記板部１４とダクト部３４との間にシール材３７を設けて気密性を高めるよう構成してある。従って、スピーカユニット２８の背面側から出力された音波が、これら部材間１６,３０(１４,３４)からパチンコ機１０の前方に漏れるのを防止でき、スピーカユニット２８の前後に出力された音波の干渉による音質の低下を阻止して、前記第２の開口部１４ａからクリアな音を出力できる。
【００３５】
ここで、バックロードホーンタイプのエンクロージャでは、充分な性能(すなわち低音域の増強効果)を発揮するには、前記ダクト部３４の全長をできる限り長くすることが求められる。実施例では、スピーカユニット２８を中枠１６に配設すると共に、スペース的に余裕のある外枠１２(板部１４の裏側)にバックロードホーンとしてのダクト部３４を設けたことで、該板部１４の略全幅を利用してダクト部３４の全長を長くすることができる。このため、ダクト部３４を他の部位(中枠１６や前枠１８等)に設けた場合に較べて、スピーカユニット２８から出力される低音域を効果的に増強して迫力や臨場感に優れると共に、所謂歯切れのよい高音質(高品質)な音を出力することができ、より一層興趣ある遊技演出を行ない得る利点がある。殊に、実施例のように、前記板部１４の右端部近傍に前記第２の開口部１４ａを設けると共に、該板部１４の左端部近傍に前記収容箱体３０(空気室３０ａ)に接続する第２接続口３６を設けることで、板部１４の略全幅を最大限利用してダクト部３４を形成することが可能となるから、該ダクト部３４の全長を最大限長くすることができ、低音域の増強をより効果的に図り得る利点がある。
【００３６】
また、前記中枠１６の左端部側に収容箱体３０(スピーカユニット２８)を設けると共に、該収容箱体３０の第１接続口３２に連通接続する第２接続口３６(突出部３６)を当該収容箱体３０に近接する板部１４の左端部側に設ける構成では、板部１４の裏側において、ダクト部を単に左方から右方に向けて上下方向の幅員が大きくなるように形成した場合(すなわち実施例におけるメインダクト部３４ａのみを形成する場合)に、該板部１４の左側部にダクト部として利用されていないスペースが生ずることとなる。そこで、実施例のように、ダクト部３４として、板部１４の左右方向の幅寸法を利用してこのスペースに左右方向に蛇行状に折返すサブダクト部３４ｂを形成することで、当該ダクト部３４の全長をより長くし得るから、スピーカユニット２８から出力される低音域を増強してより迫力や臨場感に優れた遊技が可能となる利点がある。なお、実施例では、前記板部１４より上方に突出するよう形成した前記突出部３５内にもダクト部３４(サブダクト部３４ｂ)を形成してあるから、ダクト部３４の全長をより長くすることが可能である。
【００３７】
ところで、前記スピーカユニット２８、および該スピーカユニット２８を制御する音声制御装置４２の夫々を、相対的に開閉する部材(例えば外枠１２と中枠１６や、中枠１６と前枠１８等)に、別々に配設するよう構成した場合には、中枠１６(前枠１８)を外枠１２(中枠１６)に対して開閉した際に、該スピーカユニット２８と音声制御装置４２とを接続する配線を噛み込んで断線を生ずる虞がある。殊に、前記中枠１６や前枠１８は、パチンコ機１０のメンテナンス等に際して開閉される頻度が高いことから、該中枠１６や前枠１８の開閉に際して、作業者に無用の注意負担を強いることとなり、作業が煩雑になる欠点が指摘される。これに対して、実施例では、前記スピーカユニット２８および音声制御装置４２の夫々を前記中枠１６に配設し、前記板部１４の裏側(外枠１２)にはダクト部３４のみを設ける構成としたことで、中枠１６を開閉した際にスピーカユニット２８と音声制御装置４２とを接続する配線を噛み込むことがなく、メンテナンス等の作業性が向上する利点がある。
【００３８】
なお、実施例では、前記スピーカユニット２８の前面側に第１カバー部材３８を設けるようにしたから、該スピーカユニット２８の損傷を防止できる。また同様に、前記ダクト部３４が外部に開口する第２の開口部１４ａに第２カバー部材４０を設けたことで、該ダクト部３４内に遊技者の手指や異物が挿入されるのを防止でき、該ダクト部３４の損傷等を防ぐことができる。なお、前記第１および第２カバー部材３８,４０の夫々をメッシュ状に形成したので、前記スピーカユニット２８の前面側から出力される音や、ダクト部３４から出力される音波が伝播するのを阻害することはない。
【００３９】
〔変更例〕
なお、本発明に係る遊技機としては、実施例のものに限られるものではなく、種々の変更が可能である。
実施例では、第２接続口を開設する第２当接部を外枠から上方に突出するよう形成したが、これに限定されるものではない。例えば、図６または図７に示すように、外枠１２の板部１４に、前方および上方に開口する凹部(第２当接部)５０を形成し、該凹部５０に前方へ向けて開口する第２接続口３６を開設すると共に、弾性材からなるシール材３７を設ける。また、中枠１６に、前記凹部５０に略整合する突起部(第１当接部)５２を形成すると共に、該突起部５２に、凹部５０の第２接続口３６に連通接続可能な第１接続口３２を後方へ向けて開口するよう開設してもよい。この場合も、前記中枠１６を外枠１２に対して閉成した際に第１突起部５２が凹部５０のシール材３７に圧接(密着)して、前記第１接続口３２および第２接続口３６が密閉状態で連通接続するよう構成すれば、実施例と同様の作用効果を得ることができる。
【００４０】
実施例では、ダクト部を外枠の板部の裏側で左右方向に折返す蛇行状に形成するようにしたが、これに限らず、図８に示すように、ダクト部５４を該板部１４の裏側で上下方向に折返す蛇行状に形成することも可能である。この場合には、ダクト部５４の全長を、前記板部１４の上下の幅寸法を利用して長くすることができるから、スピーカユニット２８から出力される低音域を効果的に増強して迫力や臨場感に優れると共に、所謂歯切れのよい高音質(高品質)な音を出力することが可能となる。
【００４１】
実施例では、外枠の板部に形成するダクト部を第２接続口から第２の開口部に近づくにつれて幅員が増大する、所謂バックロードホーンタイプに形成したが、これに限られるものではない。例えば、図９または図１０に示すように、板部１４の裏側に、左右方向に延在し、かつ幅員が一定なダクト部５６を形成すると共に、板部１４の所要位置(図９または図１０では左右方向の略中央位置)に第２の開口部５８を開設するよう構成して、収容箱体３０とダクト部３４により所謂位相反転形のエンクロージャ構造をなすようにしてもよい。このように、位相反転形のエンクロージャ構造を採用し、スピーカユニット２８の背面側から出力された音波の位相を反転させたもとで前記板部１４の第２の開口部５８から出力することで、スピーカユニット２８の前面側から出力された音波と同じ位相として低音域の音を増強して鮮明な音の再生を可能とし得る。この場合も、例えば実施例と同様に、収容箱体３０の後壁部３１に後方に開口する第１接続口３２を開設すると共に、板部１４より上方に突出するよう形成した突出部３６に前方に開口する第２接続口３６を開設することで、中枠１６を外枠１２に対して閉成した際に後壁部３１が突出部３６(シール材３７)に圧接して、第１接続口３２および第２接続口３６を密閉状態で連通接続することができる。
【００４２】
更に、図１０に示す前記板部１４に、前記第２の開口部５８から後方(ダクト部５６内)へ延在する筒状のバスレフポート６０を形成したバスレフタイプとするようにしてもよい(図１１参照)。この場合には、ダクト部５６の内容積と、バスレフポート６０の長さを調整することで、増強する低音域の周波数を変更することができる。なお、図８〜図１１において、実施例と同一の機能を有する部材には同一の符号を付してある。また、符号５９は変更例に係る第２の開口部５８に取付けられた第２カバー部材(カバー部材)を示すものである。
【００４３】
なお、図９に示す変更例のパチンコ機１０では、スピーカユニット２８を制御する音声制御装置４２を、遊技盤の裏側に配置する構成を採用している。このように、中枠１６に配設される遊技盤の裏側にスピーカユニット２８を制御する音声制御装置４２を配置するようにしても、中枠１６を開閉した際に該スピーカユニット２８と音声制御装置４２とを接続する配線を噛み込むのを防止することができる。
【００４４】
実施例では、外枠における板部の右端部近傍に第２の開口部を設けると共に、該板部の左端部近傍に第２接続口を設け、ダクト部を第２接続口から第２の開口部に向かうにつれて幅員が増大するよう形成したが、これに限られるものではなく、前記板部の左端部近傍に第２の開口部を設けると共に、右端部近傍に第２接続口を設けるよう構成しても、実施例と同様の作用効果を得ることができる。なお、この場合には、スピーカユニットも中枠の右下方位置に配設することが好ましい。すなわち、前記板部の左右何れか一方の端部近傍に第２の開口部を開設すると共に、該板部における他方の端部近傍に第２接続口を形成して、該第２接続口から第２の開口部へ向けてダクト部が延在するよう形成すればよい。
【００４５】
実施例では、第２当接部にシール材を設けた構成を示したが、これに限られるものではなく、第１当接部にシール材を設ける構成、あるいは第１および第２当接部の両方にシール材を設ける構成としても、実施例と同様の作用効果を得ることができる。なお、前記第１および第２当接部の何れにもシール材を設けない構成を採用することも可能である。但し、この場合には、中枠のガタツキにより、第１および第２当接部が離間して第１接続口および第２接続口の連通状態を保持し得なくなる虞があることから、該中枠のガタツキを極力低減する必要がある。
【００４６】
実施例では、スピーカユニットを中枠の左下端部近傍に配設するよう構成したが、その他任意の位置に配設することができ、外枠に対して中枠を閉成した際に、収容箱体(収容部)の第１接続口が前記ダクト部の第２接続口に連通し得るよう構成すればよい。
【００４７】
実施例では、スピーカユニットとしてコーン形スピーカユニットを採用しているが、これに限られるものではなく、その他従来公知の各種タイプのスピーカユニットを用いることができる。また、実施例のような中音再生用のスピーカユニットに限らず、その他の音域再生用スピーカユニットであってもよい。
【００４８】
実施例では、本発明を実施する遊技機としてパチンコ機を例示して説明したが、これに限定されるものではなく、外郭をなす外枠に開閉自在に組付けた中枠にスピーカユニットを配設するよう構成した遊技機であれば、アレンジボール機等の従来公知の各種遊技機に対しても好適に採用し得る。
【００４９】
なお、本発明に係る遊技機に関しては、以下に示す具体的構成に限定することが可能である。
請求項１〜７の何れかに記載の遊技機に関し、前記第１当接部(31,52)における前記第１接続口(32)の開設部位および前記第２当接部(35,50)における前記第２接続口(36)の開設部位の少なくとも一方は、弾性変形可能なシール材(37)を備えており、前記中枠(16)を外枠(12)に対して閉成した際に、該シール材(37)の弾性変形を伴って第２当接部(35,50)に第１当接部(31,52)が圧接するよう構成する。
このように、前記第１当接部における第１接続口の開設部位および前記第２当接部における第２接続口の開設部位の少なくとも一方に、弾性変形可能なシール材を設けることで、前記中枠を閉成した際に、第１接続口と第２接続口とをより気密性の高い状態で連通接続することができるから、この部分からの音漏れによる音質の低下をより効果的に防止できる。
【図面の簡単な説明】
【００５０】
【図１】実施例に係るパチンコ機を示す正面図である。
【図２】実施例に係る外枠を示す正面図である。
【図３】図２におけるＡ−Ａ線断面図である。
【図４】実施例に係るパチンコ機の中枠を外枠に対して開放した状態を背面側から示す要部斜視図である。
【図５】実施例に係るパチンコ機の収容箱体とダクト部の接続部位を拡大して示す横断平面図であり、(a)は中枠を外枠に対して閉成した状態を示し、(b)は中枠を外枠に対して開放した状態を示す。
【図６】変更例に係るパチンコ機の中枠を外枠に対して開放した状態を背面側から示す要部斜視図である。
【図７】変更例に係るパチンコ機における外枠を、凹部の形成位置で縦断した状態を示す側面図である。
【図８】別の変更例に係るパチンコ機を示す正面図である。
【図９】更に別の変更例に係るパチンコ機を示す正面図である。
【図１０】図９のパチンコ機を板部位置で横断して示す平面図である。
【図１１】図１０のパチンコ機におけるダクト部に、第２の開口部に連通するバスレフポートを設けた変更例に係るパチンコ機を板部位置で横断して示す平面図である。
【符号の説明】
【００５１】
１２  外枠，１４  板部，１４ａ  第２の開口部(開口部)，１６  中枠
２８  スピーカユニット，３０  収容箱体(収容部)，３０ａ  空気室(空間)
３１  後壁部(第１当接部)，３２  第１接続口，３４  ダクト部，
３５  突出部(第２当接部)，３６  第２接続口，５０  凹部(第２当接部)
５２  突起部(第１当接部)，５４  ダクト
５６  ダクト部，  ５８  第２の開口部(開口部)
【図１】
2006325969.tif 000003
【図２】
2006325969.tif 000004
【図３】
2006325969.tif 000005
【図４】
2006325969.tif 000006
【図５】
2006325969.tif 000007
【図６】
2006325969.tif 000008
【図７】
2006325969.tif 000009
【図８】
2006325969.tif 000010
【図９】
2006325969.tif 000011
【図１０】
2006325969.tif 000012
【図１１】
2006325969.tif 000013